(57)【要約】【課題】ラポは、ポイントを買ってステータスを得るものであるが、与える、あるいは、売るラポを個人で発行出来る様にする事でラポの世界を一般的な物に応用する。【解決の手段】自販機でパーソナルラポと言うポイント販売し、購入者は、アピール情報等を登録して、オンライン先に残し、ポイントをカードに受け取り、それを、ラポ授与交換機に移して、あげる相手のラポカードをラポ授与交換機に挿入し、あげるポイント数を入力して、相手のカードに移す事により、ポイントを渡し、受け取った人は、自販機で金券ポイントに交換したり、クラスカードに交換する。あるいは、表示機で表示して、他の人に見せたり、ポイント返還の代わりに、特典を受けるなどする。【選択図】図１
2016076197.tif 000002
【特許請求の範囲】
【請求項１】
自販機でポイントをカードに発行する事で販売し、そのポイントを、ポイント授与交換機でやり取りできる様にして、ポイント購入者がポイントを授与し、受け取った人は、自販機で、カードを挿入し、お金又は、それに代わるポイントで受け取ったり、直にポイントとして、提携店で利用出来る様にするシステム並びに、そのポイント及びポイント授与交換機
【請求項２】
請求項１のシステムを利用して、ポイントの授受が出来るようにするが、ポイントを発行する時に名前等を入力出来る代わりに、必ずしも、お金やそれに代わるポイントに還元できない、遊びや、成績、ステータスとして授与する、ポイント及びポイント授与交換機並びポイント表示機
【発明の詳細な説明】
【技術分野】
【０００１】本発明は、個人でポイントを発行する用途にポイントを販売する技術に関する
【背景技術】
【０００２】本発明は、特願２０１４−１２０９６１における、ラポのアイデアを発展させたものであり、個人でラポを発行する為にラポ事業部が、ポイントを発行するインフラを提供するものであるが、電子マネーはすでに利用されていて、オンラインによるデータの書き換えによるものと、バリューをＩＣチップにやりとりして、そのバリューの加減により、電子マネー発行者が、精算する方法及びその組み合わせの方法がある。
【先行技術文献】
【０００３】
【特許文献】
【特許文献】特願２０１４−１２０９６１
【発明の概要】
【発明が解決しようとする課題】
【０００４】ラポは、ポイントを買ってステータスを得るものであるが、与える、あるいは、売るラポを個人で発行出来る様にする事でラポの世界を一般的な物に応用する。
【発明を解決する手段】
【０００５】自販機（１）でパーソナルラポ（２）と言うラポを１００ラポ１円プラス手数料で販売し、購入者は、その時、登録情報を自販機のオンライン先に残せ、ポイントをカード等メディアに受け取って、そのポイントをラポ授与交換機（３）にカードから保留し、ラポを与える人のカードを、そのラポ授与交換機（３）に挿入して、与えるラポ数を入力し、受け取る人のカードに発行する。
受け取った人は、そのラポ発行者の情報を自販機で見たり、自販機で、（金券ポイント）ラポマネー（４）にそのラポを有価交換したり出来る。
パーソナルラポ（２）を自販機（１）から購入すると、登録情報（５）が、オンライン先に残るが、ラポを購入する時点で、登録情報（５）により、ラポが、ノーマルか、違うかで、発行するラポに、ノーマルの場合、普通のバリューに、登録した名称と、同じ名前を区別する番号を付けただけのバリューで、発行され、それ以外は、ＩＤ情報を、バリューに、一定額毎にセットで与える事で、同じＩＤ毎に固有化して、区別し、同時にそのＩＤで登録したアピール情報を見る事が出来るようにし、またこれにより、不正をしにくくします。
【０００６】自販機（１）でパーソナルラポ（２）と言うラポを販売し、これを購入して、ラポ発行者に成る人は、購入する時、登録をします。
登録には、ノーマル登録、アピール登録、プロフェッショナル登録、プロフェッショナルゴールド登録があります。また、これとは、別に、有名人のパーソナルラポがあります。
ノーマル登録は、名前または愛称と与えられた号数で登録しますが、一枚のカードに複数取り込め、自販機（１）、ラポ授与交換機（３）、ラポ表示機で、取り込んだラポを同時に複数、確認出来ます。
アピール登録には、名称プラス、同名を区別する号数と、写真や、アピールコメントを含むものがありますが、ラポを受け取った人は、自販機（１）でその情報を見る事が出来ますが、一枚のカードにひとりだけしか取り込めません。ただし、情報をＵＳＢメモリーにダウンロードできるサービスを行います。なお、写真が嫌な人は、省く事が出来る。
ポイントには、ＩＤ情報がセットで入力されていて、カードを自販機に挿入すると、情報が見れますが、その情報を、自販機設置のＵＳＢスロットにＵＳＢメモリーを挿入し、有料で、ダウンロードボタンでダウンロードし、パソコンで見たり、コレクションしたり出来ます。ただし、自販機は、１０００円単位でしか利用できないので、ラポマネーに交換の上、支払って頂きます。なお登録情報には、ラポの名称が記入されているので、持っているラポの発行者を示す事が出来ます。
プロフェッショナル登録というのは、ラポを活用する人が、成るもので、高くでラポを買って貰って、利益を得たり、特典を付けて発行し、営業活動に利用する為のもので、写真の登録と、本名の登録が必要なものです。また、登録の削除は長期間出来ません。また、情報を公開することもあります。名称には、１号２号の様に、同名を分けるものが付きます。それと、登録情報の表示期限は、購入する度に更新され、簡単には、切れない様にする事で、ラポの価値を保ちます。
プロフェッショナルゴールド登録は、号数なしで、同じ名前がいないラポを登録し、早い者順で、ＬｏｐｏＰａｒｓｏｎａｌＰｒｏＧ（ラポパーソナルプロゴールド）の名前の持ち主が決まります。ただし、有名人登録された名前は使えません。そして１号２号は付かず、同名のパーソナルプロゴールドは存在しません。
プロフェッショナル及びゴールドは、ラポの発行者名称表示に、名前のまえに、Ｐｒｏの文字が表示されます。また、固有のパーソナルラポカードを、購入して頂け、発行数により、「ＬｏｐｏＰｅｒｓｏｎａｌ．Ｐｒｏ（Ｇ）名前とステータス、クラス」の表記された、カードを所有して頂けます。また、貯めた方も、クラスカードに実費で交換出来ます。カードは一般の有名人ラポとすぐに見分けがつく様に、白線の筋が入っているものと、入っていないものがあり、普通のラポの１０倍にして、クラスを持つ事が出来るものは、白線が入っており、同じラポ数でクラス表記する物は入っておらず、選択出来ます。また、ラポマネーに交換する事は、出来ませんので、ラポマネー欲しさにもらう人を避ける事が出来ます。しかし、ポイントの授受は、ラポ授与交換機で出来ますので、ポイントを回して使う事が可能です。ですが、クラスを上げて行った方が、ポイントやカードに価値が出るので、回収せずに、上がったクラスで特典を付けた方が紳士的です。
巷で、人気のある人や、セミプロの方が、特典を設けるなどして、ステータスポイントとして、発行出来るものです。
ただし、有名人に登録されている名前は使えません。
なお、有名人に登録された方もパーソナルラポを購入して、売ったりあげたり出来ますが、パーソナルラポには、有名人と言う文字が、自販機（１）や、ラポ授与交換機（３）で、表示されますし、クラス表示したラポカードの購入で、カードに「有名人Ｌｏｐｏ  Ｐｅｒｓｏｎａｌ．名前ステータス名」が表記されます。有名人ラポに限り、１ラポ１００円で販売し、貯めて頂くと、１パーソナルラポを１０００ラポ換算で、クラスを所有し、カードをそのクラスカードにして持って頂けます。そして、このカードは、有名人パーソナルラポカードで、本物として、デザインされており、白線は入っていません。
有名人パーソナルラポは、２００パーソナルラポ（２万円原価）でオープン４級、１万ラポ（１００万円原価）でプリンス・プリンセスに成ります。有名人は、購入して、高くで売ったり、あげたり出来ます。なお、有名人パーソナルラポのバリュー単位は１０円（１０パーソナルラポ）にします。
クラスカードは、「有名人ＬｏｐｏＰｅｒｓｏｎａｌＰｒｉｎｃｅ（Ｈ）相川七瀬ＥＸＰ」等が表記されます。また、パーソナルクラスの有名人ブランド商品も買えます。
また、ラポパーソナルプロの方も、有名人の方も、情報を自販機に残して、ダウンロードして貰う事が出来ます。
カードには、複数名、取り込めるものと、ひとりだけの物があり、複数名取り込めるものは、ノーマル登録されたものだけです。
ラポ発行者は、人気があれば、自分のラポを売る事も出来ますし、お駄賃を上げる代わりにあげる事も出来ます。また、サービスにポイントとして付ける事も出来ます。情報をダウンロード頂けるので、宣伝にも使用出来ます。
【０００７】なお、これらとは別に、ラポバイヤー登録と言うのがあります。
自分のラポを買って貰い、その儲けを分けて貰う人で、自分のラポが売れると、マージンをラポ事業部から支給されるもので、誰でも、自販機で自分のラポを買って貰える設定にし、はじめ、ラポを買って、配るか売る事で、配った人から、また新たに配って貰う等して、情報を閲覧して貰い、ラポを購入して貰う事で、購入額の半分を受け取れるものです。
普通のパーソナルラポは、他の人に自販機で直接買って貰う事は出来ません。
情報には、バイヤーと分かる様に表記されていますが、アピールコメントで、誰でも購入出来る事を述べた方が、最初は、良いかも知れません。
名称の後ろに、ＢＵＹが付く事で、名称ＢＵＹで、自販機でアクセスして購入できるようにし、バイヤー検索で探す事も出来るようにします。
あまり有名でない有名人や、有名人成りたての人が、登録して、１ラポ１００円で買って貰い、半額受け取る事も出来ます。
芸能デビューする予定の人が、ラポバイヤーになり、応援して貰うのも良いかも知れません。
一般のバイヤーの方のラポは、１００円単位１万ラポで購入頂きます。
また、ラポマネーには交換出来ません。
【０００８】授与交換機（３）は、１００ラポ以下のラポと１００ラポ１円で、円で表示する切り替えスイッチがあります。
カードには５万ポイントラポ、５万円まで、取り込めます。
ラポ事業者は、ラポマネーで儲けるか、発行で手数料を取ったり、交換しないパーソナルラポが、増える事で儲ける等して運営します。
パーソナルラポ発行者は、自分のアイデアで、パーソナルラポを売って稼ぐ事も出来ます。
【０００９】貯めたパーソナルラポは、交換不可にするかわりに、１０倍のラポ数に換算したクラスに成り、クラスのカードに実費で交換出来るようにする。また、本物とはすぐに見分けが付く様に成っていて白のラインが入っています。なお、一般人のパーソナルラポは、ラポブランド商品を買う事はできません。
なお、有名人の一般ラポから、パーソナルラポに転換する事も出来ます。オリジナルラポも、パーソナル表示に替える事ができます。ただし、別途手数料を３割必要とし、クラスは、ずっと低く成ります。１パーソナルラポ１００円で、１０００倍ラポ換算ですので、１０分の１に成るはずです。しかし、有名人のパーソナルラポは、有名人が値段を付けますので、１パーソナルラポ幾らに成るかは、有名人次第で高くなるので、オリジナルラポは、有名人ラポより、うんと安くで、パーソナルクラスを手にいれられるはずです。なお、このラポは、有価交換出来ません。このオリジナルパーソナルラポのカードも本物のデザインで、また、有名人パーソナルラポも、オリジナルパーソナルラポもクラスに応じたラポブランド商品の購入が出来ます。その商品のブランドは、ＰｅｒｓｏｎａｌＬｏｐｏ表記です。普通のラポの１０倍の価値があります。
有名人のパーソナルラポは、１ラポ１００円ですが、その売り上げは、１０円の寄付金と、１０円の特許使用料、税金が支払われ、オリジナルのパーソナルラポは、パーソナルラポで購入した場合、２０円の寄付金と、１０円の特許及び商標使用料、税金が支払われます。また、パーソナルラポへの変換手数料の１０％が、特許及び商標使用料としてしはらわれます。
なお、ラポマネーをバリュー交換式にして、ラポ授与機で授受出来るようにし、直接ラポマネーとして提携店で使える様にする方法もある。
【発明の効果】
【００１０】個人がラポを売ったり、商店が、勝手に買ってポイントを付けるなど出来る。
個人がステータスポイントの発行者になれる。
好きな人の、ラポを貯めて、ラブリーポイントの様に、扱える。
たとえば、人気のある人に、パーソナルラポを貰ったり、買ったりし、ラポ表示機で、表示して、満足を得たりします。
アピール登録で情報をダウンロード出来るので、宣伝や、ピーアールなど使い方は様々にある。
有名人志望の人が、特典を付けて、発行し、ラポを営業活動に利用出来る。
ラポを点数としてあげて、決まったラポ数に達したら、ご褒美を上げる等の、遊びや、成績向上の為に用いる等出来る。
ラポバイヤーと言う新しい仕事が出来る。
【発明実施の形態】
【実施例１】
【００１１】ラポ自販機で、パーソナルラポと言うラポを１万ラポ１００円プラス手数料で購入します。この時、ユーザーは、自分の情報を登録します。そして、カード等メディアにラポを取り込みます。やり取りするユーザーは、ラポ授与交換機を買っておきます。ラポの入ったパーソナルカードを、ラポ授与交換機に挿入しパーソナルラポ保留をタッチすると、ラポ授与交換機にパーソナルラポが、移動します。そのラポは、登録情報により、名称を表示します。
ノーマル登録の時は、その名称と号数で表示され一枚のカードに複数とりこめます。
ノーマル登録でないラポは、固有のラポで、カードに一人しか取り込めませんが、固有の情報を自販機などで見る事が出来、その情報をダウンロードする事も出来ます。
ポイントを発行するだけで、ＰＲ等を必要としない商店は、ノーマルにする事で、受け取られ易くします。
アピール等を目的とする場合は、アピール登録します。名称、写真、アピールコメント等を、自販機あるいは、パソコンで表示します。
アピール登録で、ラポを売る事も、出来ますが、信頼を得る為に、プロフェッショナル登録で、ラポの価値を保障し、たとえば、ラポクラスにより、特典を与えるなどを約束して、ラポを売る事が出来ます。
名前をひとり自分だけの物にしたい人は、プロフェッショナルゴールドで登録します。早い者勝ちでプロフェッショナルゴールドの名前を独占できます。プロフェッショナル及び、ゴールドは、長期間削除出来なくなっています。また、貰ったあるいは買った人は、交換不可にする事で、クラスカードに一般ラポの１０倍換算でクラスを決め交換する事が出来ます。ただし、この場合、カードに白線が入っており、一目で、本物と区別できる様に成っていて、本物のラポカードを手に入れるには、同じラポ数必要です。この時、ゴールドでない場合、本名と１号２号など、ゴールドは名称で、カードが発行されます。また、このプロフェッショナル及びゴールドは、発行者が有名人登録された場合、その名称を発表されます。また、情報を削除出来なくなり、情報に、現誰々と表記されます。
写真の登録は、企画のサイズの写真を自販機に入れて、入力します。
【実施例２】
【００１２】「ラポのしくみ」
自販機でパーソナルラポを購入すると、カードに必要情報とバリューを与えます。バリューは、たとえば、１０００バリュー毎に、ＩＤ情報等の情報をセットにして、個性化し、端数は、バリュー部分が、端数で出来ています。情報が一致するバリューだけが、合算されます。ＩＤ情報の中に、ノーマル、プロ、有名人の区分け番号があり、ノーマルに関しては、バリューをＩＤで個性化しないで発行し、名称毎に合算されます。
そのカードをラポ授与交換機（３）に挿入し、パーソナルラポ（２）の保留をタッチするとバリューと、情報を取り込み保留します。渡したい相手のカードをラポ授与交換機に差し込み、渡すバリューを、決めて、ギブボタンをタッチすると情報とバリューが、相手のカードに移されます。ラポを受け取ったユーザーは、自販機で、バリューを、ポイントや、金銭情報に替え、お金や、ポイントを自販機や、レジから受け取ります。また、情報をダウンロードする等します。
【実施例３】
【００１３】「クラスカードへの変換」
ノーマルパーソナルラポカード以外は、クラスカードを購入する事が出来ます。
クラスカード購入を選び、クラスへの交換で、カードを、複数ある場合は、順次挿入して、持っているラポを、合算して、クラスへの変更をすると、カード情報が作られ、オンライン先データバンクに登録されます。後日そのカードが、送られて来ます。それ以後は、そのカードに、直接バリューを移せます。クラスを上げる時は、そのバリューをクラスへの変更で、データバンク情報を書き換え、後日クラスの上がったカードが送られて来ます。
【図面の簡単な説明】
【００１４】
【図１】本発明実施の模式図
【符号の説明】（１）    自販機
（２）    パーソナルラポ
（３）    ラポ授与交換機
（４）    ラポマネー
（５）    登録情報
（６）    ＵＳＢメモリー
【図１】
2016076197.tif 000003